(57)【要約】【課題】クライアント端末からのメールに貼り付けた画像を認識することにより、当該画像に関連する店舗のＷｅｂページを容易に提供可能とする画像認識を用いた販売支援システム等を提供する。【解決手段】サーバ１０１は、端末装置１０５からの画像データとＵＲＬ情報を対応付け画像情報データベース３０１に登録する画像情報登録手段１１１と、端末装置１０５から受け取った店舗情報３３０を掲載するＵＲＬ情報に関連付けられるＷｅｂページを作成するＷｅｂページ作成手段１１２と、携帯型端末１０３からのメールの貼付画像を画像情報データベース３０１に基づいて認識する画像認識手段１１３と、認識結果から得られるＵＲＬ情報を返信するＵＲＬ情報返信手段１１４と、携帯型端末１０３にＵＲＬ情報からＷｅｂページを提供するＷｅｂページ提供手段１１５と、を備える。【選択図】図６
2007133627.tif 000002
【特許請求の範囲】
【請求項１】
ネットワークを介して、電子メール機能を備えたクライアント端末と、店舗の端末装置と、接続され、画像認識により前記店舗のＷｅｂページを提供するサーバであって、
前記端末装置からの画像登録要求に伴い、取得した画像データと、発行した当該画像データに関連するＷｅｂページのアドレスを示すＵＲＬ情報と、を対応付けた画像情報を画像情報データベースに登録、記憶する画像登録手段と、
前記端末装置からの前記画像情報に対するＷｅｂページ作成要求に伴い、受け取った店舗情報を掲載する当該ＵＲＬ情報に関連付けられるＷｅｂページを作成する作成手段と、
前記クライアント端末から受信したメールに貼付されている画像データに対して、前記画像情報データベースに基づいて、画像認識を行う認識手段と、
前記認識手段により認識された画像情報から得られるＵＲＬ情報を前記クライアント端末にメール返信する返信手段と、
前記クライアント端末からの前記ＵＲＬ情報によるアクセス要求に伴い、該当するＷｅｂページを提供する提供手段と、
を具備することを特徴とするサーバ。
【請求項２】
前記クライアント端末からの前記Ｗｅｂページに対する購入要求に伴い、決済代行会社のコンピュータに接続し、受け取った購入情報に基づいて決済手続きを行う決済手段、
を、更に具備することを特徴とする請求項１記載のサーバ。
【請求項３】
前記画像登録手段により、登録する画像データに対する画像認識を行うための特徴量を、前記画像情報データベースの当該画像情報に記憶し、
前記認識手段は、前記クライアント端末からの受け取った画像データから特徴量を抽出し、抽出した特徴量に基づいて、前記画像情報データベースの特徴量と類似検索を行い、前記画像認識を行うことを特徴とする請求項１記載のサーバ。
【請求項４】
前記画像登録手段は、記録媒体から前記画像データを読み取ることにより、又は前記ネットワークを介して前記画像データを受信することにより、前記画像データを取得することを特徴とする請求項１に記載のサーバ。
【請求項５】
前記店舗情報は、登録した画像情報に関連する販売対象となる商品に関する各種情報、又は各種サービス情報であることを特徴とする請求項１記載のサーバ。
【請求項６】
前記クライアント端末から受信されたメールに添付されている前記画像データは、前記クライアント端末が物体を撮像することにより取得した画像データであることを特徴とする請求項１記載のサーバ。
【請求項７】
前記クライアント端末は、デジタルカメラ付き携帯型端末装置であることを特徴とする請求項１記載のサーバ。
【請求項８】
ネットワークを介して接続される、電子メール機能を備えたクライアント端末と、店舗の端末装置と、画像認識により前記店舗のＷｅｂページを提供するサーバと、を備える商品販売を促進させるための支援を行う画像認識を用いた販売支援システムであって、
前記端末装置は、
画像データを入力する画像入力手段と、
入力した画像データに対する前記サーバに登録要求を送信する登録要求手段と、
登録した画像データに関連付ける店舗情報を記憶する店舗情報データベースと、
登録した画像データに関連するＷｅｂページ作成要求を、該当する前記店舗情報と共に、前記サーバに送信する作成要求手段と、
を、備え、
前記サーバは、
前記端末装置からの画像登録要求に伴い、取得した画像データと、発行した当該画像データに関連するＷｅｂページのアドレスを示すＵＲＬ情報と、を対応付けた画像情報を画像情報データベースに登録、記憶する画像登録手段と、
前記端末装置からの前記画像情報に対するＷｅｂページ作成要求に伴い、受け取った店舗情報を掲載する当該ＵＲＬ情報に関連付けられるＷｅｂページを作成する作成手段と、
前記クライアント端末から受信したメールに貼付されている画像データに対して、前記画像情報データベースに基づいて、画像認識を行う認識手段と、
前記認識手段により認識された画像情報から得られるＵＲＬ情報を前記クライアント端末にメール返信する返信手段と、
前記クライアント端末からの前記ＵＲＬ情報によるアクセス要求に伴い、該当するＷｅｂページを提供する提供手段と、
を、備え、
前記クライアント端末は、
画像データを入力する画像入力手段と、
入力した画像データを貼付したメールを前記サーバに送信するメール送信手段と、
前記サーバから返信されたＵＲＬ情報を用いて前記サーバにアクセスし、前記サーバから送られたＷｅｂページを表示、閲覧する閲覧手段と、
を具備することを特徴とする画像認識を用いた販売支援システム。
【請求項９】
コンピュータを請求項１から請求項７いずれかに記載のサーバとして機能させるプログラム。
【請求項１０】
コンピュータを請求項１から請求項７いずれかに記載のサーバとして機能させるプログラムを記録した記録媒体。
【発明の詳細な説明】
【技術分野】
【０００１】
本発明は、ネットワークを介した、商品販売を促進させるための支援を行う販売支援システムに係り、特に、電子メール機能、画像認識機能を用いて、店舗のＷｅｂページをクライアント端末に提供する画像認識を用いた販売支援システムに関する。
【背景技術】
【０００２】
近年、インターネット等に代表されるネットワーク技術が急速に普及に伴い、Ｗｅｂ上で動作するＷｅｂアプリケーションやＷｅｂコンテンツが多数存在する。例えば、商品情報の入出力、検索、閲覧、販売等の機能を提供するサーバと複数のクライアント端末等からなるＷｅｂ上で動作する電子ショッピングシステムが幾つか存在する。
また、携帯電話が普及し、携帯電話にインターネット上のＷｅｂページを閲覧するブラウザ機能、電子メール機能、撮像機能等の様々なサービスが提供されている。携帯電話で撮影した画像データをメールに添付し、所定のサーバへ送信することで、Ｗｅｂページ上に反映させる技術が開示されている。
【０００３】
一方、雑誌、カタログなどの印刷物に、掲載商品の詳細な情報を利用者に提示するＷｅｂサイトのＵＲＬの情報を符号化データに変換された２次元バーコード（例えばＱＲコード）を作成し、直接、印刷物に掲載することにより、利用者は、カメラ付き携帯電話等で２次元バーコードを読み取り、携帯電話の通信機能によってサーバに送り出され、簡単に必要な情報の入力を行なうことを可能としていた（例えば、特許文献１）。
また、同様に、商品の写真や印刷物、画像等に電子透かし情報としてＵＲＬ情報を埋め込み、画像を、カメラ付き携帯電話を使用して撮影することによって、画像データに含まれるＵＲＬの情報を使用してインターネットを介して相手企業に接続し、簡単に商品購入の申し込みや、クライアントの勧誘、情報提供サービス等を行うことを可能とする販売支援システムが開示されている（例えば、特許文献２）。
【０００４】
【特許文献１】特開２００４−８０５８５号公報
【特許文献２】特開２００５−１８４１５８号公報
【発明の開示】
【発明が解決しようとする課題】
【０００５】
しかしながら、特許文献１や特許文献２に記載されているシステムでは、ＵＲＬ等の必要な情報を入力し、雑誌等の印刷物の掲載商品の詳細な情報を利用者に提示するＷｅｂサイトを提供する方法においては、ＵＲＬ情報の入力の煩わしさを改善しているが、（１）２次元バーコードを組み込むことにより、雑誌のレイアウトデザインが損なわれる上、２次元バーコード印刷作業に手間がかかってしまう。（２）また、電子透かしを組み込むことにより、カタログ、雑誌等のコンテンツの印刷過程で、電子透かしの加工処理が途中に組み込まれ、手間がかかり、印刷工程が遅延されるという、問題があった。
【０００６】
本発明は、以上の点に鑑みてなされたものであり、クライアント端末からのメールに貼り付けた画像を認識することにより、当該画像に関連する店舗のＷｅｂページを容易に提供可能とする画像認識を用いた販売支援システム等を提供することを目的とする。
【課題を解決するための手段】
【０００７】
前述した目的を達成するために第１の発明は、ネットワークを介して、電子メール機能を備えたクライアント端末と、店舗の端末装置と、接続され、画像認識により前記店舗のＷｅｂページを提供するサーバであって、前記端末装置からの画像登録要求に伴い、取得した画像データと、発行した当該画像データに関連するＷｅｂページのアドレスを示すＵＲＬ情報と、を対応付けた画像情報を画像情報データベースに登録、記憶する画像登録手段と、前記端末装置からの前記画像情報に対するＷｅｂページ作成要求に伴い、受け取った店舗情報を掲載する当該ＵＲＬ情報に関連付けられるＷｅｂページを作成する作成手段と、前記クライアント端末から受信したメールに貼付されている画像データに対して、前記画像情報データベースに基づいて、画像認識を行う認識手段と、前記認識手段により認識された画像情報から得られるＵＲＬ情報を前記クライアント端末にメール返信する返信手段と、前記クライアント端末からの前記ＵＲＬ情報によるアクセス要求に伴い、該当するＷｅｂページを提供する提供手段と、を具備することを特徴とするサーバである。
【０００８】
また、前記クライアント端末からの前記Ｗｅｂページに対する購入要求に伴い、決済代行会社のコンピュータに接続し、受け取った購入情報に基づいて決済手続きを行う決済手段、を更に具備することが望ましい。
また、前記画像登録手段により、前記端末装置からの登録する画像データに対する画像認識を行うための特徴量を、前記画像情報データベースの当該画像情報に記憶し、前記認識手段は、前記クライアント端末からの受け取った画像データから特徴量を抽出し、抽出した特徴量に基づいて、前記画像情報データベースの特徴量と類似検索を行い、前記画像認識を行うことが望ましい。
また、前記画像登録手段は、記録媒体から前記画像データを読み取るか、又は前記ネットワークを介して前記画像データを受信することにより、前記画像データを取得することが望ましい。
【０００９】
第１の発明によるサーバは、店舗の端末装置からの画像登録要求に伴い、取得した画像データと、発行した当該画像データに関連するＷｅｂページのアドレスを示すＵＲＬ情報と、を対応付けた画像情報を画像情報データベースに登録、記憶し、端末装置からの画像情報に対するＷｅｂページ作成要求に伴い、受け取った店舗情報を掲載する当該ＵＲＬ情報に関連付けられるＷｅｂページを作成し、クライアント端末から受信したメールに貼付されている画像データに対して、画像情報データベースに基づいて、画像認識を行い、認識された画像情報から得られるＵＲＬ情報をクライアント端末にメール返信し、クライアント端末からのＵＲＬ情報によるアクセス要求に伴い、該当するＷｅｂページを提供する。
【００１０】
「店舗情報」は、登録した画像情報に関連する販売対象となる商品に関する各種情報や、登録した画像情報に関連する各種サービス情報である。
「クライアント端末」は、携帯型端末装置、パーソナルコンピュータ等であり、「携帯型端末装置」は、携帯電話やＰＤＡ（Ｐｅｒｓｏｎａｌ Ｄｉｇｉｔａｌ
Ａｓｓｉｓｔａｎｃｅ）等であり、本発明で用いる撮影機能を有する携帯型端末装置は、例えば、カメラ付き携帯電話である。
「特徴量」は、画像データの輪郭情報、色情報等である。
【００１１】
第１の発明では、物体（例えば印刷物に掲載されている商品等）をカメラで撮像することにより入力した画像を認識し、認識結果の情報から掲載商品の詳細情報を提供するＷｅｂサイトのＵＲＬ情報を得ることができ、Ｗｅｂサイト（例えば、購入サイト等）にアクセスし、容易に掲載商品の詳細情報を入手・利用することができ、作業効率も大幅に改善できる。
また、携帯電話等のクライアント端末から特別なアプリケーションを使わずに既存のサービス機能（電子メール機能、ブラウザ機能、撮像機能等）だけを用いて、掲載商品の詳細情報を提供するＷｅｂサイトのＵＲＬ情報を得ることができ、煩わしさや難しさがなく利用者にとって簡単に利用可能である。
また、印刷物からのＷｅｂサイトを印刷物のデザイン性を損なうことなく、印刷物の印刷工程を遅らせることなく、雑誌等の印刷物の掲載商品の詳細な情報を利用者に提示するＷｅｂサイトを提供できる。
更に、印刷物に限らず、様々な場所で、物体（実物）を撮像することにより、登録した物体であれば、関連サイトを提供できる。
【００１２】
また、第２の発明は、ネットワークを介して接続される、電子メール機能を備えたクライアント端末と、店舗の端末装置と、画像認識により前記店舗のＷｅｂページを提供するサーバと、を備える商品販売を促進させるための支援を行う画像認識を用いた販売支援システムであって、前記端末装置は、画像データを入力する画像入力手段と、入力した画像データに対する前記サーバに登録要求を送信する登録要求手段と、登録した画像データに関連付ける店舗情報を記憶する店舗情報データベースと、登録した画像データに関連するＷｅｂページ作成要求を、該当する店舗情報と共に、前記サーバに送信する作成要求手段と、を備え、前記サーバは、前記端末装置からの画像登録要求に伴い、取得した画像データと、発行した当該画像データに関連するＷｅｂページのアドレスを示すＵＲＬ情報と、を対応付けた画像情報を画像情報データベースに登録、記憶する画像登録手段と、前記端末装置からの前記画像情報に対するＷｅｂページ作成要求に伴い、受け取った店舗情報を掲載する当該ＵＲＬ情報に関連付けられるＷｅｂページを作成する作成手段と、前記クライアント端末から受信したメールに貼付されている画像データに対して、前記画像情報データベースに基づいて、画像認識を行う認識手段と、前記認識手段により認識された画像情報から得られるＵＲＬ情報を前記クライアント端末にメール返信する返信手段と、前記クライアント端末からの前記ＵＲＬ情報によるアクセス要求に伴い、該当するＷｅｂページを提供する提供手段と、を備え、前記クライアント端末は、画像データを入力する画像入力手段と、入力した画像データを貼付したメールを前記サーバに送信するメール送信手段と、前記サーバから返信されたＵＲＬ情報を用いて前記サーバにアクセスし、前記サーバから送られたＷｅｂページを表示、閲覧する閲覧手段と、を具備することを特徴とする画像認識を用いた販売支援システムである。
【００１３】
第２の発明は、第１の発明のサーバ、画像データを入力する画像入力手段と、入力した画像データを貼付したメールをサーバに送信するメール送信手段と、サーバから返信されたＵＲＬ情報を用いて前記サーバにアクセスし、サーバから送られたＷｅｂページを表示、閲覧する閲覧手段を備えるクライアント端末、画像データを入力する画像入力手段と、入力した画像データに対するサーバに登録要求を送信する登録要求手段と、登録した画像データに関連付ける店舗情報を記憶する店舗情報データベースと、登録した画像データに関連するＷｅｂページ作成要求を該当する店舗情報と共に、サーバに送信する作成要求手段を備える店舗の端末装置から構成される画像認識を用いた販売支援システムに関する発明である。
【００１４】
第４の発明は、コンピュータを第１発明のサーバとして機能させるプログラムである。
第５の発明は、コンピュータを第１の発明のサーバとして機能させるプログラムを記録した記録媒体である。
【００１５】
上述のプログラムをＣＤ−ＲＯＭ等の記録媒体に保持させて流通させてもよいし、このプログラムを通信回線を介して送受することもできる。
【発明の効果】
【００１６】
本発明は、以上の点に鑑みてなされたものであり、クライアント端末からのメールに貼り付けた画像を認識することにより、当該画像に関連する店舗のＷｅｂページを容易に提供可能とする画像認識を用いた販売支援システム等を提供することができる。
【発明を実施するための最良の形態】
【００１７】
以下に、添付図面を参照しながら、本発明に係る画像認識を用いた販売支援システム等の好適な実施形態について詳細に説明する。尚、以下の説明および添付図面において、略同一の機能構成を有する構成要素については、同一の符号を付することにより重複説明を省略することにする。
【００１８】
図１は、本実施の形態に係る画像認識を用いた販売支援システム１００の概略構成を示す図である。図１は、画像認識を用いた販売支援システム１００の１例であり、図１に示すように、画像認識を用いた販売支援システム１００は、サービス提供会社１０２が有するサーバ１０１、複数のクライアント１０４の携帯型端末１０３、複数の店舗１０６の端末装置１０５、ネットワーク１０９等からなる。
画像認識を用いた販売支援システム１００は、例えばインターネットなどのネットワーク１０９を介して、サーバ１０１と、携帯型端末１０３、端末装置１０５とが接続されて構成される。尚、画像認識を用いた販売支援システム１００は、ＷＷＷ（Ｗｏｒｌｄ  Ｗｉｄｅ  Ｗｅｂ）技術を用いて実現した構成図である。
【００１９】
サービス提供会社１０２は、販売支援システムを管理し運用する事業主（プロバイダ）であり、サーバ１０１を有する。サーバ１０１は、サーバコンピュータ等であり、Ｗｅｂサーバ、画像認識を用いた販売支援アプリケーション、画像情報データベース３０１、Ｗｅｂページ情報３０２等を有する。
【００２０】
サーバ１０１は、端末装置１０５からの画像登録要求に伴い、取得した画像データに関連するＷｅｂページのアドレスを示すＵＲＬ情報を発行し、当該画像データと発行したＵＲＬ情報とを対応付けた画像情報を画像情報データベース３０１に登録、記憶し、画像情報に応じた店舗情報が掲載された当該ＵＲＬ情報に応じたＷｅｂページ情報３０２を作成する。また、携帯型端末１０３から受信したメールに添付されている画像データに対して、画像情報データベース３０１に基づいて、画像認識を行い、認識された画像情報から得られるＵＲＬ情報を携帯型端末１０３にメール返信し、携帯型端末１０３からのＵＲＬ情報によるアクセス要求に伴い、該当するＷｅｂページ情報３０２を提供する。
【００２１】
クライアント１０４は、サーバ１０１を利用する利用者であり、携帯型端末１０３を有する。携帯型端末１０３には、Ｗｅｂブラウザが搭載され、Ｗｅｂブラウザとして機能する。携帯型端末１０３は、Ｗｅｂブラウザを介して、サーバ１０１にアクセスし、Ｗｅｂページを閲覧する。携帯型端末１０３は、例えば、カメラ付き携帯電話等の撮像機能を有する携帯型端末１０３であり、カメラ４０３により、雑誌等の物体を撮像することにより取得する画像データをメールに添付してサーバ１０１に送信し、サーバ１０１から返信されたＵＲＬ情報を用いて、サーバ１０１にアクセスし、撮影した画像に応じた店舗１０６のＷｅｂページを表示、閲覧する。
尚、本実施の形態では、携帯型端末１０３を用いたが、パーソナルコンピュータ等の端末装置を用い、デジタルカメラ、又はネットワーク１０９を介して、画像データを入力してもよい。
【００２２】
店舗１０６は、商品を販売する販売元であり、端末装置１０５を有する。端末装置１０５は、パーソナルコンピュータ等であり、Ｗｅｂブラウザ、店舗情報データベース３０３等を有する。
端末装置１０５は、Ｗｅｂブラウザを介して、サーバ１０１に、入力した画像データの登録要求を送信し、登録した画像データに関連付ける店舗情報を店舗情報データベース３０３に記憶し、登録した画像データに関連するＷｅｂページ作成要求を、関連付ける店舗情報と共に、サーバ１０１に送信する。
【００２３】
次に、サーバ１０１のハードウェア構成を説明する。図２は、サーバ１０１のハードウェア構成図である。
【００２４】
図２に示すように、サーバ１０１は、制御部２０１、記憶部２０２（ハードディスク）、メディア入出力部２０３（ドライブ装置）、通信制御部２０４（通信制御装置、通信ポート等）、入力部２０５（キーボード、マウス等）、プリンタポート２０６、表示部２０７（ディスプレイ）等が、バス２０９を介して接続される。
【００２５】
制御部２０１は、ＣＰＵ（Ｃｅｎｔｒａｌ  Ｐｒｏｃｅｓｓｉｎｇ  Ｕｎｉｔ  ）、ＲＯＭ（Ｒｅａｄ  Ｏｎｌｙ  Ｍｅｍｏｒｙ  ）、ＲＡＭ（Ｒａｎｄｏｍ  Ａｃｃｅｓｓ  Ｍｅｍｏｒｙ）等で構成される。
【００２６】
ＣＰＵは、記憶部２０２、ＲＯＭ、記録媒体等に格納されるプログラムをＲＡＭ上のワークメモリ領域に呼び出して実行し、システムバス２０９を介して接続された各装置を駆動制御し、サーバ１０１が行う後述する各種処理（図６、図７、図８参照）を実現する。
ＲＯＭは、不揮発性メモリであり、コンピュータのブートプログラムやＢＩＯＳ等のプログラム、データ等を恒久的に保持している。
ＲＡＭは、揮発性メモリであり、記憶部２０２、ＲＯＭ、記録媒体等からロードしたプログラム、データ等を一時的に保持するとともに、制御部２０１が各種処理を行う為に使用するワークエリアを備える。
【００２７】
記憶部２０２は、ＨＤＤ（ハードディスクドライブ）であり、制御部２０１が実行するプログラム、プログラム実行に必要なデータ、ＯＳ（オペレーティングシステム）等が格納される。プログラムに関しては、ＯＳ（オペレーティングシステム）に相当する制御プログラム３９１や、本コンピュータを適用するサーバ１０１が行う後述の処理に相当するアプリケーションプログラム３９２等が格納されている。
これらの各プログラムコードは、制御部２０１により必要に応じて読み出されてＲＡＭに移され、ＣＰＵに読み出されて各種の手段として実行される。
【００２８】
メディア入出力部２０３（ドライブ装置）は、データの入出力を行い、例えば、フロッピディスクドライブ、ＰＤドライブ、ＣＤドライブ（−ＲＯＭ、−Ｒ、−ＲＷ等）、ＤＶＤドライブ（−ＲＯＭ、−Ｒ、−ＲＷ等）、ＭＯドライブ等のメディア入出力装置等を有する。
【００２９】
通信制御部２０４は、通信制御装置、通信ポート等を有し、サーバ１０１とネットワーク１０９間の通信を媒介する通信インタフェースであり、ネットワーク１０９を介して、サーバ１０１と、携帯型端末１０３、端末装置１０５の通信制御を行う。
【００３０】
入力部２０５は、データの入力を行い、例えば、キーボード、マウス等のポインティングデバイス、テンキー等の入力装置を有する。
【００３１】
表示部２０６は、ＣＲＴモニタ、液晶パネル等のディスプレイ装置、ディスプレイ装置と連携してコンピュータのビデオ機能を実現するための論理回路等（ビデオアダプタ等）を有する。
【００３２】
印刷部２０７は、プリンタであり、印刷出力処理を行う。
【００３３】
システムバス２０９は、各装置間の制御信号、データ信号等の授受を媒介する経路である。
【００３４】
次に、図３を参照しながら、サーバ１０１の記憶部２０２が保持する情報について説明する。図３は、記憶部２０２が保持する情報を示す図である。
【００３５】
図３に示すように、記憶装置２０２内には、画像情報データベース３０１、Ｗｅｂページ情報３０２、及び制御プログラム３９１、アプリケーションプログラム３９２等が格納されている。
【００３６】
画像情報データベース３０１は、複数の画像情報３１０からなる。画像情報３１０には、店舗１０６の端末装置１０５から送信、画像データ３１１と、ＵＲＬ情報３１２と、特徴量３１３とが対応付けられている。
画像データ３１１は、例えば、印刷物（雑誌、商品カタログ冊子等）を構成するページ毎の物体（例えば、商品等）画像を走査して得るデジタルデータや、ネット販売対象の商品の撮像画像データである。
ＵＲＬ情報３１２は、当該画像データ３１１に関連付ける店舗１０６のＷｅｂページのアドレスを示す。
特徴量３１３は、当該画像データの輪郭情報、色情報等であり、類似検索による画像認識方法を用いる場合、登録時に、画像データから算出し、記憶する。
【００３７】
Ｗｅｂページ情報３０２は、店舗１０６の端末装置１０５から送信される店舗情報３３０を組み込んだ、Ｗｅｂサービスのマークアップ言語（ＨＴＭＬ、ＸＨＴＭＬ、Ｆｌａｓｈ等）のデータであり、例えばＨＴＭＬ形式ファイルである。店舗情報３３０は、当該Ｗｅｂページ情報３０２に対応付けられる画像データ３１１に関連する、画像、文字等のデータからなる商品情報やサービス情報である。例えば、ネット販売サイトの場合、当該商品に関連する商品情報（画像、文字等のデータ）、価格情報、在庫情報等である。
Ｗｅｂページ情報３０２は、例えば、印刷物（雑誌、商品カタログ冊子、チラシ等）を構成するページ毎の画像、文字等のデータからなる商品情報を配置した少なくとも１つの印刷物画像データと、リンク対象となっている画像や文字にリンクさせ、商品の関連情報の表示制御やリンク制御を行う少なくとも１つのリンク情報を有する。
尚、画像情報データベース３０１、Ｗｅｂページ情報３０２のデータ構成は、この構成に限られるわけではない。
【００３８】
制御プログラム３９１は、サーバ１０１であるコンピュータの各構成部分を駆動制御するプログラムである。
アプリケーションプログラム３９２は、Ｗｅｂサーバ、画像認識を用いた販売支援プログラム、画像認識エンジンプログラム等の実行可能プログラムであり、画像認識を用いた販売支援プログラムは、画像登録手段１１１、Ｗｅｂページ作成手段１１２、画像認識手段１１３、ＵＲＬ情報送信手段１１４、Ｗｅｂページ提供手段１１５等の処理に該当するプログラムである（後述、各処理手段を説明する）。
【００３９】
次に、携帯型端末１０３のハードウェア構成を説明する。図４は、携帯型端末１０３のハードウェア構成図である。
図４に示すように、クライアント１０４の携帯型端末１０３は、例えば、カメラ付き携帯電話であり、制御部４０１、記憶部４０２、カメラ４０３、送受信部４０４、入力部４０５、表示部４０６、送受話部４０７、アンテナ４１０等が接続される。
【００４０】
制御部４０１は、ＣＰＵ、ＲＯＭ、ＲＡＭ等で構成され、記憶装置４０２に格納されたプログラムに従って、各装置を駆動制御する。
【００４１】
記憶部４０２には、各構成部分を駆動制御する制御プログラム、アプリケーションプログラムとして、電子メール機能、Ｗｅｂブラウザ等に該当するプログラムである。
【００４２】
これらの各プログラムコードは、制御部４０１により必要に応じて読み出されてＲＡＭに移され、ＣＰＵに読み出されて各種の手段として実行される。
【００４３】
カメラ４０３は、撮像手段であり、物体（例えば、印刷物）を撮像し、画像データを取得する。
送受信部４０４は、携帯型端末１０３とネットワーク１０９間の通信を媒介する通信インタフェースであり、ネットワーク１０９を介して、携帯型端末１０３と、サーバ１０１間の通信制御を行う。
入力部４０５は、データの入力を行い、例えば、操作キー、操作ボタン等であり、表示部４０６（ディスプレイ）に表示された操作案内、各種処理、操作を行う。
【００４４】
次に、図５を参照しながら、店舗１０６の端末装置１０５のハードウェア構成を説明する。図５は、端末装置１０５のハードウェア構成図である。
【００４５】
端末装置１０５は、制御部５０１、記憶部５０２、通信制御部５０３、メディア入出力部５０４、入力部５０５、表示部５０６、印刷部５０７等が、システムバス５０９を介して接続される。
端末装置１０５のハードウェア構成は、図２について前述したサーバ１０１と同様の構成を採る。
【００４６】
記憶装置５０２内には、店舗情報データベース３０３、及び制御プログラム、アプリケーションプログラム等が格納されている。
店舗情報データベース３０３は、Ｗｅｂページを作成するための、複数の店舗情報３３０からなる。店舗情報３３０は、画像データ３１２に応じた、画像、文字等のデータからなる商品情報やサービス情報である。例えば、ネット販売の場合、店舗情報３３０は、商品毎の商品情報（画像、文字等のデータ）、価格情報、在庫情報等からなる。
尚、店舗情報データベース３０３のデータ構成は、この構成に限られるわけではない。
【００４７】
制御プログラムは、端末装置１０５であるコンピュータの各構成部分を駆動制御するプログラムである。
アプリケーションプログラムは、Ｗｅｂブラウザ、画像情報登録依頼手段１５２、店舗情報登録手段１５３、Ｗｅｂページ作成依頼手段１５４等の実行可能プログラムである（後述、各処理手段を説明する）。
【００４８】
次に、図６を参照しながら、画像認識を用いた販売支援システム１００全体の処理の流れと処理手段について説明する。図６は、画像認識を用いた販売支援システム１００全体の処理の流れと処理手段を示す図である。
【００４９】
サーバ１０１は、画像登録手段１１１、Ｗｅｂページ作成手段１１２、画像認識手段１１３、ＵＲＬ情報送信手段１１４、Ｗｅｂページ提供手段１１５、決済手続手段１１６等を有する。
【００５０】
画像登録手段１１１は、店舗１０６の端末装置１０５からの画像情報登録依頼に対して、受け取った画像データ３１１と、発行したＷｅｂページのアドレスを示すＵＲＬ情報３１２を画像情報３１１として画像情報データベース３０１に登録、保持する。
Ｗｅｂページ作成手段１１２は、店舗１０６の端末装置１０５からのＷｅｂページ作成依頼に対して、受け取った店舗情報３３０を組み込んだＵＲＬ情報であるＷｅｂページのアドレスにより関連付けられるＷｅｂページ情報３０２を作成する。
画像認識手段１１３は、クライアント１０４の携帯型端末１０３から送信されたメールに添付されている画像データ３４１に対して、画像情報データベース３０１に基づいて、画像認識を行う。
ＵＲＬ情報送信手段１１４は、画像認識手段１１３により認識された画像情報３１０から得られるＵＲＬ情報３１１を携帯型端末１０３にメール返信する。
Ｗｅｂページ提供手段１１５は、携帯型端末１０３からのＵＲＬ情報によるアクセス要求に伴い、該当するＷｅｂページ情報３０２からなるＷｅｂページを提供する。
【００５１】
クライアント１０４の携帯型端末１０３は、画像入力手段１３１、画像メール送信手段１３２、ＵＲＬ情報メール受信手段１３３、Ｗｅｂページ閲覧手段１３４等を有する。
【００５２】
画像入力手段１３１は、カメラ４０３を用いて、物体を撮像することにより画像データ３４１を入力、取得する。
画像メール送信手段１３２は、入力した画像データ３４１をメールに添付して、サーバ１０１の所定アドレスに送信する。
ＵＲＬ情報メール受信手段１３３は、サーバ１０１からの画像データ３４１の認識結果に応じたＷｅｂページのアドレスを示すＵＲＬ情報３１２をメール受信する。
Ｗｅｂページ閲覧手段１３４は、受信したＵＲＬ情報３１２により、サーバ１０１にアクセスし、該当するＷｅｂページの表示、閲覧を行う。
更に、表示されたＷｅｂページに従い、購入情報を入力し、サーバ１０１に対して購入依頼（ステップ１３５）を行う。
【００５３】
店舗１０６の端末装置１０５は、画像入力手段１５１、画像情報登録依頼手段１５２、店舗情報登録手段１５３、Ｗｅｂページ作成依頼手段１５４等を有する。
【００５４】
画像入力手段１５１は、サーバ１０１に登録する画像データを入力、取得する。
画像情報登録依頼手段１５２は、サーバ１０１に、画像入力手段１５１により入力した画像データの登録依頼を行う。
店舗情報登録手段１５３は、画像データに対応付けるＷｅｂページに掲載する店舗情報３３０を店舗情報データベース３０３に登録、記憶する。
Ｗｅｂページ作成依頼手段１５４は、サーバ１０１に対して、Ｗｅｂページに掲載する店舗情報３３０と、そのＵＲＬ情報３１２と共に、Ｗｅｂページ作成依頼要求を送信する。
【００５５】
次に、図７を参照しながら、サーバ１０１における、店舗１０６の端末装置１０５からの画像情報登録処理とＷｅｂページ作成処理の処理手順について詳しく説明する。図７は、サーバ１０１における、店舗１０６の端末装置１０５からの画像情報登録処理とＷｅｂページ作成処理の処理手順を示すフローチャートである。
【００５６】
サーバ１０１の記憶部２０２には、画像登録手段１１１、Ｗｅｂページ作成手段１１２、画像認識手段１１３、ＵＲＬ情報送信手段１１４、Ｗｅｂページ提供手段１１５、決済手続手段１１６等に該当する画像認識を用いた販売支援プログラム、画像認識プログラム、Ｗｅｂサーバの実行可能プログラムが格納されている。以下のサーバ１０１の処理は、この実行可能プログラムの制御に従って、サーバ１０１の制御部２０１によって行われる。
【００５７】
また、端末装置１０５の記憶部５０２には、画像入力手段１５１、画像情報登録依頼手段１５２、店舗情報登録手段１５３、Ｗｅｂページ作成依頼手段１５４、Ｗｅｂブラウザ等に該当する実行可能プログラムが格納されている。以下の端末装置１０５の処理は、この実行可能プログラムの制御に従って、端末装置１０５の制御部５０１によって行われる。
【００５８】
端末装置１０５の制御部５０１は、登録画像を入力し取得する（ステップＳ７０１）。例えば、制御部５０１は、スキャナ等を用いて、印刷物（雑誌、商品カタログ冊子等）を走査して得るデジタルデータ等の画像データ、印刷物を構成する画像、文字からなるＤＴＰデータから得た画像データ、物体（実物の商品等）を撮像することにより入力した画像データ等を取得する。
制御部５０１は、Ｗｅｂブラウザを介して、サーバ１０１にアクセスし、入力した画像データの画像情報登録依頼を行う（ステップＳ７０２）。
【００５９】
サーバ１０１の制御部２０１は、Ｗｅｂサーバを介して、受け取った画像データ３１１、画像データ３１１から算出した特徴量３１３を画像情報３１０として画像情報データベース３０１に登録、保持する（ステップＳ７０３）。
更に、類似検索による画像認識処理方法（マッチング手法）では、入力した画像データから、特徴量（輪郭情報、色情報等）を抽出し、特徴量を基に、画像情報データベース３０１の特徴量３１３と比較し、類似検索を行うため、画像データ３１１から算出した特徴量３１３（輪郭情報、色情報等）を登録する。
【００６０】
制御部２０１は、Ｗｅｂページのアドレスを示すＵＲＬ情報３１２を発行し、当該画像情報３１０に記憶する（ステップＳ７０４）。画像情報３１０には、画像データ３１１と、関連付けられるＷｅｂページのＵＲＬ情報３１２と、特徴量３１３を有する。
【００６１】
例えば、印刷物の雑誌ＡＡＡ上に掲載されている複数の商品である、店舗「Ａ」の商品Ａ００１、Ａ００２、店舗「Ｂ」の商品Ｂ００１、・・・をネット販売する場合、販売元の店舗「Ａ」、「Ｂ」の各端末装置１０５から雑誌ＡＡＡ上に掲載される商品の画像データ３１１が送信され、例えば、商品Ａ００１の画像データ３１１−Ａ００１に商品Ａ００１を販売するためのＷｅｂページのアドレス「ｈｔｔｐ:／／ｗｗｗ．ａａａ．ｃｏ．ｊｐ／Ａ／００１」を、商品Ａ００２の画像データ３１１−Ａ００２に商品Ａ００２を販売するためのＷｅｂページのアドレス「ｈｔｔｐ:／／ｗｗｗ．ａａａ．ｃｏ．ｊｐ／Ａ／００２」を、商品Ｂ００１の画像データ３１１−Ｂ００１に商品Ｂ００１を販売するためのＷｅｂページのアドレス「ｈｔｔｐ:／／ｗｗｗ．ａａａ．ｃｏ．ｊｐ／Ｂ／００１」と、ＵＲＬ情報３１２として対応付ける。
尚、説明上、店舗区別を考慮した商品ＩＤとＵＲＬ情報のアドレスを設定しているが、これに限るわけではなく、ＵＲＬ情報３１２は、画像登録毎に、ユニークに自動発行されたものでもよい。
【００６２】
尚、本実施の形態では、印刷物（雑誌、カタログ等）上の商品毎の画像に対して、商品毎のＷｅｂページを作成して、商品毎にＷｅｂページにアクセスする形態（例えばネット販売）を用いて説明しているが、これに限るものではなく、例えば、複数の物体の画像データに対し１つのキャンペーン応募サイトのＷｅｂページを割付けてもよいし、物体の画像に対し動画像等の電子コンテンツを提供してもよい。
【００６３】
また、本実施の形態では、サーバ１０１において、端末装置１０５からの画像登録の際ＵＲＬ情報を発行し、登録依頼した端末装置１０５に送信しているが、店舗１０６の端末装置１０５側で、ＵＲＬ情報を発行し、サーバ１０１に画像登録の際、画像データと共に発行したＵＲＬ情報を送信してもよい。
【００６４】
尚、本実施の形態では、ネットワーク１０９を介して、端末装置１０５からサーバ１０１に送信した画像データ３１１を、画像情報データベース３０１に画像情報３３０として登録したが、これに限らない。データサイズの大きな複数の画像データの場合、サーバ１０１は、記録媒体に保存した画像データを、メディア入出力部２０３を介して、読み取り、登録してもよい。
【００６５】
端末装置１０５の制御部５０１は、発行されたＵＲＬ情報３１２と共に、当該画像情報３１０に対するＷｅｂページに記載する店舗情報３３０を店舗情報データベース３０３に登録、記憶する（ステップＳ７０５）。店舗情報３３０は、画像データ３１２に応じた、画像、文字等のデータからなる商品情報やサービス情報である。例えば、ネット販売の場合、店舗情報３３０は、商品毎の商品情報（画像、文字等のデータ）、価格情報、在庫情報等からなる。
制御部５０１は、登録画像全てに対してステップＳ７０２からステップ７０５の処理を繰り返す。
【００６６】
制御部５０１は、サーバ１０１に対して、店舗情報データベース３０３を用いて、登録した画像情報に関連付けるＷｅｂページ作成依頼を行う（ステップＳ７０６）。制御部５０１は、ＵＲＬ情報と、当該Ｗｅｂページに掲載する店舗情報３３０と共に、Ｗｅｂページ作成依頼要求をサーバ１０１に送信する。
【００６７】
サーバ１０１の制御部２０２は、受け取った店舗情報３３０を、ＵＲＬ情報に応じたＷｅｂページ情報３０２に埋め込み、作成、記憶する（ステップＳ７０７）。尚、制御部２０２は、予め、運用形態に応じて、Ｗｅｂページ情報３０２の雛型を作成、又は店舗１０６の端末装置１０５から受信し、記憶しておく。
制御部５０１は、登録画像に対してステップＳ７０６、ステップ７０７のＷｅｂページ作成処理を繰り返す。
【００６８】
次に、図８、図９を参照しながら、サーバ１０１における、クライアント１０４の携帯型端末１０３から受信した画像データを認識することにより画像データに関連する店舗のＷｅｂページを携帯型端末１０３に提供する処理手順について詳しく説明する。図８は、サーバ１０１のクライアント１０４の携帯型端末１０３から受信した画像データを認識することにより画像データに関連する店舗のＷｅｂページを携帯型端末１０３に提供する処理手順を示すフローチャートである。図９は、携帯型端末１０３の撮像による画像入力からＷｅｂページ閲覧までの画面遷移を示す図である。
【００６９】
携帯型端末１０３の記憶部４０２には、撮像手段、メール送受信手段、インターネット上のＷｅｂページを閲覧するＷｅｂブラウザ等の実行可能プログラムが格納されている。以下の携帯型端末１０３の処理は、この実行可能プログラムの制御に従って、携帯型端末１０３の制御部４０１によって行われる。
以降、携帯型端末１０３とサーバ１０１との間でのデータの送受信は、ＷｅｂブラウザとＷｅｂサーバを介して、行われる。
【００７０】
携帯型端末１０３の制御部４０１は、カメラ４０３を用いて、物体（印刷物、実物等）を撮像し画像データを入力、取得する（ステップＳ８０１）。
例えば、カメラ４０３を用いて、例えば雑誌２２上に掲載されている商品の写真を撮像し、制御部４０１は、表示部４０６に、撮像画面１１を表示する。
【００７１】
制御部４０１は、電子メール機能を用いて、取得した画像データファイルを添付して、サーバ１０１の所定のメールアドレスにメールを送信する（ステップＳ８０２）。
例えば、制御部４０１は、送信メール画面１２に従い、撮像した画像ファイル２１を貼り付け、雑誌等に示される所定のアドレス「ｄｎｐ＠ｘｘｘ．ｘｘｘ・・・」を宛先として、メール送信する。
【００７２】
サーバ１０１の制御部２０１は、画像認識手段１１１に相当する処理として、受け取ったメールの添付ファイルの画像データを解析し、画像情報データベース３０１に基づいて、マッチング手法により、画像認識処理（分離／抽出／同定／空間座標特定／保持等）を行う（ステップＳ８０３）。
例えば、制御部２０１は、画像データの認識処理として、入力情報である画像データから、特徴量（輪郭情報、色情報等）を抽出する。制御部２０１は、抽出した特徴量を基に、画像情報データベース３０１の特徴量３１３と比較し、類似検索を行い、認識結果の情報として、最も近い特徴量３１３に関連づけられている画像情報３１０を取得する。
尚、画像認識技術は、広く行われている事項であり、本発明で規定するところではない、オブジェクト抽出・認識方法には、例えば、以下の文献の方法がある。
【００７３】
（１）画像から特徴点を抽出し、特徴点とその局所近傍の画像情報から得られる特徴量を用いたマッチング手法―Ｃ．シュミット（Ｃ．
Ｓｃｈｍｉｄ）、Ｒ．ムーア（Ｒ． Ｍｏｈｒ），「画像検索のための局所グレイバリュー不変量（Ｌｏｃａｌ ｇｒａｙｖａｌｕｅ ｉｎｖａｒｉａｎｔｓ ｆｏｒ ｉｍａｇｅ
ｒｅｔｒｉｅｖａｌ）」，（米国），電気・電子通信学会報，（ＩＥＥＥ ＰＡＭＩ），１９９７年，第１９巻，第５号，ｐ．５３０−５３４（２）画像の特徴量を抽出し、画像の特徴量をもとに、データベース内の特徴量を類似検索する認識手法として、国際公開ＷＯ００１０９８３３号（発明の名称：ＰＥＲＣＥＰＴＵＡＬ  ＳＩＭＩＬＡＲＩＴＹ  ＩＭＡＧＥ  ＲＥＴＲＩＥＶＡＬ）
また、本実施の形態では、類似検索による認識処理方法を用いたが、これに限るわけではない。例えば、人工知能の技術を用いて、サーバ１０１が行ってもよい。
【００７４】
制御部２０１は、認識結果の情報である最も近い特徴量３１３を有する画像情報３１０から関連付けられるＵＲＬ情報３１２を、携帯型端末１０３にメール返信する（ステップＳ８０４）。
【００７５】
携帯型端末１０３の制御部４０１は、ＷｅｂページのＵＲＬ情報３１２からなるメールを受信する（ステップＳ８０５）。
制御部４０１は、例えば、認証結果として、ＷｅｂページのＵＲＬ情報３１２からなるメールを受信し、ＵＲＬ情報受信メール画面１３を表示する。
【００７６】
携帯型端末１０３の制御部４０１は、受信したＵＲＬ情報３１２を用いて、サーバ１０１のＷｅｂページにアクセスする（ステップＳ８０６）。
サーバ１０１の制御部２０１は、ＵＲＬ情報３１２のアドレスに示すＷｅｂページ情報３０２からなるＷｅｂページデータを送信する（ステップＳ８０７）。
携帯型端末１０３の制御部４０１は、受け取ったＷｅｂページを表示、閲覧する（ステップＳ８０８）。
例えば、制御部４０１は、Ｗｅｂページ画面１４を表示する。
【００７７】
制御部４０１は、サーバ１０１のＷｅｂページに対して、購入依頼を行う（ステップＳ８０９）。制御部４０１は、入力された購入情報をサーバ１０１に送信する。
例えば、クライアント１０４は、ネット販売サイトのＷｅｂページ画面１４を閲覧後、移行した購入画面１５で、購入情報を入力し、制御部４０１は、購入情報をサーバ１０１に送信する。
【００７８】
サーバ１０１の制御部２０１は、受け取った購入情報に基づいて、決済手続処理を行う（ステップＳ８１０）。制御部２０１は、決済代行会社１０８のコンピュータ１０７にアクセスし、決済手続きのやりとりを行い、手続き完了後、クライアント１０４の携帯型端末１０３に購入完了の旨をメール送信し、店舗１０６の端末装置１０５に受注完了を通知する。
【００７９】
以上説明したように、本発明の実施の形態によれば、サーバ１０１は、端末装置１０５からの画像登録要求に伴い、受け取った画像データと、発行した当該画像データに関連するＷｅｂページのアドレスを示すＵＲＬ情報とを対応付けた画像情報を画像情報データベースに登録、記憶する画像情報登録手段１１１と、端末装置１０５からの画像情報３１０に対するＷｅｂページ作成要求に伴い、受け取った店舗情報３３０を掲載する当該ＵＲＬ情報に関連付けられるＷｅｂページを作成するＷｅｂページ作成手段１１２と、携帯型端末１０３から撮像画像をメール送信し、その画像データに対して、画像情報データベース３０１に基づいて、画像認識を行う画像認識手段１１３と、画像認識手段１１３により認識された画像情報３１０から得られるＵＲＬ情報３１２を携帯型端末１０３にメール返信するＵＲＬ情報返信手段１１４と、携帯型端末１０３からのＵＲＬ情報によるアクセス要求に伴い、該当するＷｅｂページを提供するＷｅｂページ提供手段１１５と、を備え、商品販売を促進させるための支援を行う販売支援システムを提供する。
【００８０】
これにより、物体（例えば印刷物に掲載されている商品等）をカメラで撮像することにより入力した画像を認識し、認識結果の情報から掲載商品の詳細情報を提供するＷｅｂサイトのＵＲＬ情報を得ることができ、Ｗｅｂサイト（例えば、購入サイト等）にアクセスし、容易に掲載商品の詳細情報を入手・利用することができ、作業効率も大幅に改善できる。
また、携帯電話等のクライアント端末から特別なアプリケーションを使わずに既存のサービス機能（電子メール機能、ブラウザ機能、撮像機能等）だけを用いて、掲載商品の詳細情報を提供するＷｅｂサイトのＵＲＬ情報を得ることができ、煩わしさや難しさがなく利用者にとって簡単に利用可能である。
また、印刷物からのＷｅｂサイトを印刷物のデザイン性を損なうことなく、印刷物の印刷工程を遅らせることなく、雑誌等の印刷物の掲載商品の詳細な情報を利用者に提示するＷｅｂサイトを提供できる。
更に、印刷物に限らず、様々な場所で、物体（実物）を撮像することにより、登録した物体であれば、関連サイトを提供できる。
【００８１】
尚、本実施の形態では、印刷物（雑誌、商品カタログ冊子等）上の商品毎の画像に対して、商品毎のＷｅｂページを作成して、商品毎にＷｅｂページにアクセスする形態（例えばネット販売）を用いて説明しているが、これに限るものではなく、例えば、複数の物体の画像データに対し１つのキャンペーン応募サイトのＷｅｂページを割付けてもよいし、物体の画像に対し動画像等の電子コンテンツを提供してもよい。
【００８２】
また、本実施の形態では、サーバ１０１において、端末装置１０５からの画像登録の際ＵＲＬ情報を発行し、登録依頼した端末装置１０５に送信しているが、店舗１０６の端末装置１０５側で、ＵＲＬ情報を発行し、サーバ１０１に画像登録の際、画像データと共に送信してもよい。
【００８３】
尚、本実施の形態では、ネットワーク１０９を介して、端末装置１０５からサーバ１０１に送信した画像データ３１１を、画像情報データベース３０１に画像情報３３０として登録したが、これに限らない。データサイズの大きな複数の画像データの場合、サーバ１０１は、記録媒体に保存した画像データを、メディア入出力部２０３を介して、読み取り、登録してもよい。
【００８４】
また、本実施の形態では、類似検索による認識処理方法を用いたが、これに限るわけではない。例えば、人工知能の技術を用いて、サーバ１０１が行ってもよい。
また、本実施の形態では、携帯型端末１０３を用いたが、パーソナルコンピュータ等の端末装置を用い、デジタルカメラ、又はネットワーク１０９を介して、画像データを入力してもよい。
【００８５】
尚、図６、図７、図８等に示す処理を行うプログラムはＣＤ−ＲＯＭ等の記録媒体に保持させて流通させてもよいし、このプログラムを通信回線を介して送受することもできる。
【００８６】
以上、添付図面を参照しながら、本発明に係る画像認識を用いた販売支援システム等の好適な実施形態について説明したが、本発明はかかる例に限定されない。当業者であれば、本願で開示した技術的思想の範疇内において、各種の変更例または修正例に想到し得ることは明らかであり、それらについても当然に本発明の技術的範囲に属するものと了解される。
【図面の簡単な説明】
【００８７】
【図１】本発明の本実施の形態に係る画像認識を用いた販売支援システム１００の概略構成を示す図
【図２】サーバ１０１のハードウェア構成図
【図３】記憶部２０２が保持する情報を示す図
【図４】携帯型端末１０３のハードウェア構成図
【図５】端末装置１０５のハードウェア構成図
【図６】画像認識を用いた販売支援システム１００全体の処理の流れと処理手段を示す図
【図７】サーバ１０１における店舗１０６の端末装置１０５からの画像情報登録処理とＷｅｂページ作成処理の処理手順を示すフローチャート
【図８】サーバ１０１におけるクライアント１０４の携帯型端末１０３から受信した画像データを認識することにより画像データに関連する店舗のＷｅｂページを携帯型端末１０３に提供する処理手順を示すフローチャート
【図９】携帯型端末１０３における撮像による画像入力からＷｅｂページ閲覧までの画面遷移を示す図
【符号の説明】
【００８８】
１００………画像認識を用いた販売支援システム
１０１………サーバ
１０２………サービス提供会社
１０３………携帯型端末装置
１０４………クライアント
１０５………端末装置
１０６………店舗
１０７………コンピュータ
１０８………決済代行会社
１０９………ネットワーク
１１１………画像登録手段
１１２………Ｗｅｂページ作成手段
１１３………画像認識手段
１１４………ＵＲＬ情報送信手段
１１５………Ｗｅｂページ提供手段
１１６………決済手続手段
１３１、１５１………画像入力手段
１３２………画像メール送信手段
１３３………ＵＲＬ情報メール受信手段
１３４………Ｗｅｂページ閲覧手段
１５２………画像情報登録依頼手段
１５３………店舗情報登録手段
１５４………Ｗｅｂページ作成依頼手段
２０１、４０１、５０１………制御部
２０２、４０２、５０２………記憶部
４０３………カメラ
３０１………画像情報データベース
３０２………Ｗｅｂページ情報
３０３………店舗情報データベース
３１０………画像情報
３１１………画像データ
３１２………ＵＲＬ情報
３１３………特徴量
３３０………店舗情報
【図１】
2007133627.tif 000003
【図２】
2007133627.tif 000004
【図３】
2007133627.tif 000005
【図４】
2007133627.tif 000006
【図５】
2007133627.tif 000007
【図６】
2007133627.tif 000008
【図７】
2007133627.tif 000009
【図８】
2007133627.tif 000010
【図９】
2007133627.tif 000011